(57)【要約】      （修正有）【課題】可撓性のあるパイプを嵌合するための係合強度を高めたコネクタを提供する。【解決手段】コネクタ本体３０は、係合側に設けられた締め付け部位３１に環状の陥没部３１１を有し、環状の陥没部３１１の外環には奥へ漸縮していく第一外錐面３１２が設けられ、可撓性のあるパイプ６０の端部と係合部位３２とを連結させる。締付リング４０は、外周縁部の内側に第一外錐面３１２に対応する第一内錐面４１を有し、外周縁部の外側に第二内錐面４２を有し、軸方向上において削って形成された溝部４３を有し、可撓性のあるパイプ６０の端部の外周に嵌る。締付ナット５０は、締め付け部位３１に対応する締め付け部位５１と、第二内錐面４２に対応する第二外錐面５２とを有し、かつ外端が開き可能な口部５３を有する。可撓性のあるパイプ６０の構造は、フッ素樹脂から構成される芯管６１と、芯管６１の外周を覆う金属ネット層６２とを有する。【選択図】図３
0003151328.tif 000002
【実用新案登録請求の範囲】
【請求項１】
係合側に締め付け部位および係合部位を有し、締め付け部位には係合部位を奥へ入り込ませるための環状の陥没部が設けられ、環状の陥没部の外環には奥へ漸縮していく第一外錐面が設けられ、可撓性のあるパイプの端部と係合部位とを連結させるコネクタ本体と、
可撓性のあるパイプの端部の外周に嵌るため、外周縁部の内側にコネクタ本体の第一外錐面に対応する第一内錐面を有し、外周縁部の外側に第二内錐面を有し、軸方向上において削って形成された溝部を有する締付リングと、
コネクタ本体の締め付け部位に対応する締め付け部位と、締付リングの第二内錐面に対応する第二外錐面とを有する締付ナットと、
を備えることを特徴とするコネクタ。
【請求項２】
可撓性のあるパイプは、芯管と芯管の外周を覆う金属ネット層とを有することを特徴とする請求項１に記載のコネクタ。
【請求項３】
芯管は、フッ素樹脂から構成されることを特徴とする請求項２に記載のコネクタ。
【請求項４】
締付ナットの外端は、開き可能な口部を有することを特徴とする請求項１〜３のいずれか一項に記載のコネクタ。
【考案の詳細な説明】
【技術分野】
【０００１】
本考案は、コネクタに関し、特に、可撓性のあるパイプの嵌合コネクタに関する。詳しくは、締付リングに二つの錐面が形成され、軸方向上において溝部が形成され、コネクタ本体と締付ナットに錐面が別々に形成される可撓性のあるパイプの嵌合コネクタに関するものである。
【背景技術】
【０００２】
図１および図２に示すように、可撓性のあるパイプ１０の端部に係合される従来の係合コネクタの構造において、コネクタ本体２１は係合側に締め付け部位２１１および係合部位２１２を有し、コネクタ本体２１の係合部位２１２は可撓性のあるパイプ１０に嵌め込まれる。挿入・抜出リング２２は可撓性のあるパイプ１０の端部の外周に装着され、かつ挿入・抜出リング２２の外周に内錐面２２１を有する。締め付け部位２３１によってコネクタ本体２１の締め付け部位２１１と噛み合う挿入・抜出ナット２３は、挿入・抜出リング２２の内錐面２２１に対応して形成された外錐面２３２を有するため、締め付けおよび推力を介して生じる挿入・抜出関係によって挿入・抜出リング２２は可撓性のあるパイプ１０の端部とコネクタ２１の係合部位２１２とを連結させることが可能である。しかし、このような構造による係合コネクタは、係合強度があまり良好でないだけでなく、耐圧試験が３９４Ｋｇｆ／ｃｍ2に達する際に漏洩現象が発生し、抗張力試験が５０Ｋｇに達する際に逸脱現象が発生する。
【考案の概要】
【考案が解決しようとする課題】
【０００３】
本考案の主な目的は、可撓性のあるパイプを嵌合するための係合強度を高めたコネクタを提供することにある。
【課題を解決するための手段】
【０００４】
上述の目的を達成するために、本考案のコネクタは、コネクタ本体、締付リングおよび締付ナットを備える。
コネクタ本体は、係合側に締め付け部位および係合部位を有し、締め付け部位は係合部位を奥へ入り込ませるため、環状の陥没部を有し、環状の陥没部の外環は奥へ漸縮していく第一外錐面を呈し、可撓性のあるパイプの端部と係合部位とを連結させる。
締付リングは、可撓性のあるパイプの端部の外周に嵌るため、外周縁部の内側にコネクタ本体の第一外錐面に対応する第一内錐面を有し、外周縁部の外側に第二内錐面を有し、軸方向上において削って形成された溝部を有する。
【０００５】
締付ナットは、コネクタ本体の締め付け部位に対応する締め付け部位と、締付リングの第二内錐面に対応する第二外錐面とを有する。
また、可撓性のあるパイプは芯管と芯管の外周を覆う金属ネット層とを有し、芯管は例えばテフロン（登録商標）などのフッ素樹脂から構成される。締付ナットの外端は開き可能な口部を呈する。
【図面の簡単な説明】
【０００６】
【図１】従来の係合コネクタの構造を示す分解図。
【図２】従来の係合コネクタの構造の断面図。
【図３】本考案の一実施形態によるコネクタの分解図。
【図４】本考案の一実施形態によるコネクタの断面図。
【考案を実施するための形態】
【０００７】
以下、本考案の一実施形態を図面に基づいて説明する。
（一実施形態）
図３および図４に示すように、本形態は、コネクタ本体３０、締付リング４０および締付ナット５０を備える。
コネクタ本体３０は、係合側に締め付け部位３１および係合部位３２を有し、締め付け部位３１は係合部位３２を奥へ入り込ませるため、環状の陥没部３１１を有し、環状の陥没部３１１の外環は奥へ漸縮していく第一外錐面３２１を呈し、可撓性のあるパイプ６０の端部と係合部位３２とを連結させる。
【０００８】
締付リング４０は、可撓性のあるパイプ６０の端部の外周に嵌るため、外周縁部の内側にコネクタ本体３０の第一外錐面３１２に対応する第一内錐面４１を有し、外周縁部の外側に第二内錐面４２を有し、軸方向上において削って形成された溝部４３を有する。
【０００９】
締付ナット５０は、コネクタ本体３０の締め付け部位３１に対応する締め付け部位５１と、締付リング４０の第二内錐面４２に対応する第二外錐面５２とを有し、かつ外端が開き可能な口部５３を有する。
【００１０】
また、可撓性のあるパイプ６０の構造は、フッ素樹脂から構成される芯管６１と、芯管６１の外周を覆う金属ネット層６２とを有する。可撓性のあるパイプ６０はブレーキ油管などの油圧管に応用されている。
【００１１】
上述した構造により、締付ナット５０でコネクタ本体３０を締め付ける場合、締付リング４０の第一内錐面４１および第二内錐面４２は、コネクタ本体３０の第一外錐面３１２および締付ナット５０の第二外錐面５２に対応する。このとき締付リング４０の溝部４３は、締め付けおよび推力を介して生じる挿入・抜出力によって締付作用を果たすため、締付リング４０は可撓性のあるパイプ６０の端部とコネクタ本体３０の係合部位３２とを緊密に連結させることが可能である。耐圧試験が８００Ｋｇｆ／ｃｍ2に達するとしても、漏洩現象が発生しない。抗張力試験が１５５Ｋｇに達する際、逸脱現象が発生する。従って、本考案は係合強度を高める効果を有する。
【符号の説明】
【００１２】
１０：可撓性のあるパイプ、２１：コネクタ本体、２１１：締め付け部位、２１２：係合部位、２２：挿入・抜出リング、２２１：内錐面、２３：挿入・抜出ナット、２３１：締め付け部位、２３２：外錐面、３０：コネクタ本体、３１：締め付け部位、３１１：環状の陥没部、３１２：第一外錐面、３２：係合部位、４０：締付リング、４１：第一内錐面、４２：第二内錐面、４３：溝部、５０：締付ナット、５１：締め付け部位、５２：第二外錐面、５３：開き可能な口部、６０：可撓性のあるパイプ、６１：芯管、６２：金属ネット層
【図１】
0003151328.tif 000003
【図２】
0003151328.tif 000004
【図３】
0003151328.tif 000005
【図４】
0003151328.tif 000006